(57)【特許請求の範囲】
【請求項１】
回転可能なコアであって、
外部を有する収容部と、
前記外部内に形成されたインデント領域と、
を含んでおり、
前記インデント領域は、放出のためにユーザの手指を配置する場所に導くように形成されており、前記インデント領域を押し込むことによって、当該コアがプレイ面に押し付けられ、当該コアをスピンさせてユーザから離れさせ、
前記インデント領域は、前記収容部の外部に中心を外れて形成されており、
前記インデント領域は、凹部で形成されており、
前記収容部は、物体を受領するための空洞部を含んでおり、
前記物体上の対応するコネクタと接続するためのコネクタを含んだ、前記収容部に取り付けられた解除機構と、
前記物体を放出するための放出機構と、
をさらに含んでおり、
前記解除機構を作動させることによって、前記コネクタは前記物体を放出させ、前記放出機構は、前記物体を前記収容部から放出させ、
前記解除機構の前記コネクタは、解除引金部であり、前記放出機構は、バネ圧縮式プラットフォームであり、前記物体上のコネクタは、留め金であり、
前記解除機構は、前記解除引金部と作動式に接続された荷重振子をさらに含んでおり、前記振子の動きによって、前記解除引金部が前記留め金を解除して、前記物体を放出させることを特徴とする回転可能なコア。
【請求項２】
当該コアの周囲に沿った二つの隆起リングをさらに含んでいることを特徴とする請求項１記載の回転可能なコア。
【請求項３】
前記収容部の前記空洞部内に配置される留め金を備えた展開可能な物体をさらに含んでいることを特徴とする請求項２記載の回転可能なコア。
【請求項４】
回転可能なコアであって、
外部を有する収容部と、
前記外部内に形成されたインデント領域と、
を含んでおり、
前記インデント領域は、放出のためにユーザの手指を配置する場所に導くように形成されており、前記インデント領域を押し込むことによって、当該コアがプレイ面に押し付けられ、当該コアをスピンさせてユーザから離れさせ、
前記インデント領域は、前記収容部の外部に中心を外れて形成されており、
前記インデント領域は、凹部で形成されており、
前記収容部は、物体を受領するための空洞部を含んでおり、
前記物体上の対応するコネクタと接続するためのコネクタを含んだ、前記収容部に取り付けられた解除機構と、
前記物体を放出するための放出機構と、
をさらに含んでおり、
前記解除機構を作動させることによって、前記コネクタは前記物体を放出させ、前記放出機構は、前記物体を前記収容部から放出させ、
前記解除機構の前記コネクタは、一対のクリップであって、前記解除機構は、前記一対のクリップと作動式に接続されている衝撃引金をさらに含んでおり、前記衝撃引金は、衝撃を受けると、前記一対のクリップに前記物体を放出させることを特徴とする回転可能なコア。
【請求項５】
前記収容部の前記空洞部内に配置させる留め金を備えた展開可能な物体をさらに含んでいることを特徴とする請求項４記載の回転可能なコア。
【請求項６】
回転可能なコアであって、
外部を有する収容部と、
前記外部内に形成されたインデント領域と、
を含んでおり、
前記インデント領域は、放出のためにユーザの手指を配置する場所に導くように形成されており、前記インデント領域を押し込むことによって、当該コアがプレイ面に押し付けられ、当該コアをスピンさせてユーザから離れさせ、
前記インデント領域は、前記収容部の外部に中心を外れて形成されており、
前記インデント領域は、凹部で形成されており、
前記空洞部内に配置された物体と磁気的に接続するための磁石を備えた振り子を含んだ、前記収容部に取り付けられた解除機構をさらに含んでおり、当該コアとプレイ面との衝撃によって、前記振子が前記物体との磁気接続を破壊するように前記物体から振れて離れ、前記収容部から前記物体を放出させることを特徴とする回転可能なコア。
【請求項７】
前記収容部の前記空洞部内に配置される展開可能な物体をさらに含んでおり、前記展開可能な物体は、前記磁石で前記振子に磁気的に引き付けられていることを特徴とする請求項６記載の回転可能なコア。
【発明の詳細な説明】
【技術分野】
【０００１】
［優先権主張］
本発明は、米国仮出願６１/３６３０６９（出願日：２０１０年７月９日，発明の名称「内部に隠蔵された物体を放出させるための殻体（シェル）」）の非仮（通常）特許出願である。本発明は、米国仮出願６１/４２１１７３（出願日：２０１０年１２月８日，発明の名称「手指インデントを備えた殻体（シェル）」）の非仮特許出願でもある。
【０００２】
［発明の分野］
本発明は、回転物品に関し、特に、ユーザの指先を長形コアの放出用の位置に案内するための手指インデントを備えた芯体（コア）に関し、そのコアは、衝撃によって内部に隠蔵されている物体を放出させる衝撃解除引金部を有する。
【背景技術】
【０００３】
関連技術の説明
コマは、関連技術分野で長い間知られている。従来のコマは、膨出形状部と、その上でコマが回る単点部とで形成されている。そのようなコマは、典型的には、コマを高速で回転させるための紐またはその他を引っ張ることによって回され、コマに従来式の“回転”を提供する。
【０００４】
あるいは、特許文献１は、ピンチ具の使用を介して回転されるピンチコマについて解説している。コマ自体は、コマの周囲を走る隆条を含んでいる。ピンチ具は、隆条内に配置され、ピンチ具から打ち出すために絞られることでピンチコマを回転させる。
【０００５】
従来のコマの別な変形例については、特許文献２にて解説されており、長手軸周囲にほぼ回転対称である筒状本体を含んでおり、先細端面がその軸に沿っているコマについて解説している。特許文献２は、筒状本体に押し付けられており、フットボードから本体を挟むために踏みつけられることでコマを回転させるフットボード（すなわちピンチ具）について解説している。
【０００６】
このように、特許文献１および特許文献２もピンチコマの形態について教示しており、これらは、共にピンチ具に依存している。さらに、それぞれの特許は、コマを放出させるためにユーザの指先を配置する場所にユーザを案内する手指表示部を提供していないので、アシスト無しではユーザに容易にコマを回させない。
【０００７】
別な技術分野では、発射玩具が従来技術で知られている。発射玩具は、典型的には銃から物体を打ち出すための銃玩具の形態である。この銃玩具は、典型的には引き金を含んでおり、引くことでバネ式（または圧縮空気式）の機構に銃玩具から発射を放出させる。
【０００８】
手による発射を可能にしているが、そのような銃玩具は、衝撃引金部を含んでいない。さらに、発射体自体は、別の物体との衝撃で別の物体を放出させない。
【０００９】
このように、殻体の回転中に、ユーザの指先を配置する場所にユーザを案内することによってユーザに容易に殻体を回転させる手指インデントを備えたコマまたは殻体の需要が存在する。この殻体は、内部に隠蔵された物体を別な物体または表面との衝撃で放出させる衝撃解除引金部を有する。
【先行技術文献】
【特許文献】
【００１０】
【特許文献１】米国特許第３０１８５８４号明細書（“５８４”特許）
【特許文献２】米国特許５１２２０８９（“０８９特許）
【発明の概要】
【発明が解決しようとする課題】
【００１１】
この技術分野における上述の部材の全てを利用したものは、過去に存在していないことを考察中に、発明者は、手指インデントを備えたコアがユーザにコアを最良に回転させる補助となり、その中に隠蔵された物体を衝撃によって放出させる衝撃解除引金部を有するコアは、別の物体を放出できる発射コアを提供するであろうことを思いがけなく悟った。
【課題を解決するための手段】
【００１２】
よって、本発明は、回転式芯体（コア）/殻体（シェル）に関する。コアは、実質的に丸形端部を有さない筒状の収容部を含んでおり、その収容部は、外側部を有する。陥没（インデント）領域は、その外側部に形成されている。インデント領域は、放出のためにユーザの指を配置する場所にユーザを案内するために形成されており、インデント領域を押し込むことによって、コアは、プレイ面に押し付けられ、それをユーザから回転状態で放出させる。さらに、コアは、その中に物体を受領するための空洞部を有する収容部を含んでいる。解除機構は、収容部に取り付けられている。解除機構は、物体上の対応するコネクタと接続するためのコネクタと、物体を放出するための放出機構とを含んでいる。解除機構を起動すると、コネクタは、物体を放出させ、放出機構は、収容部から物体を放出させる。
【００１３】
別の形態では、解除機構は、解除引金部であり、放出機構は、バネ圧縮式プラットフォームである。
【００１４】
さらに別な形態では、振子の動きで解除引金部が物体を放出させるよう、解除機構は、解除引金部に作動式に接続された荷重振子をさらに含んでいる。
【００１５】
さらに、コアの回転特性を持続させるため、回転中にコアの表面接触面積を減少させるため、コアの周囲に２体の隆起リングを提供できる。
【００１６】
さらに別な形態では、収容部の空洞部内に配置させるため、クラスプを備えた展開物体が含まれている。その展開物体は、展開物体が空洞内にあるとき、少なくとも一つの付属物が折畳み状態で配置され、空洞部から放出されると、少なくとも一つの付属物が展開状態へと移動するよう、少なくとも一つの折畳みおよび展開可能な付属物を含んでいる。
【００１７】
別の形態では、解除機構のコネクタは、一対となっているクリップ（クリップペア）であり、衝撃時に衝撃引金部がクリップペアに物体を放出させるよう、解除機構は、クリップペアに作動式に接続された衝撃引金部をさらに含んでいる。
【００１８】
さらに別な形態では、解除機構は、振子を含んでおり、コネクタは、空洞部内に配置された物体と磁気的に接続するために振子に取り付けられた磁石であり、コアのプレイ面との衝撃によって、振子が物体から振れて離れ、物体との磁気的接続を破壊し、収容部から物体を放出させる。この形態では、展開物体は、磁石で振子に磁気的に引き寄せられている。
【００１９】
最後に、専門家であれば理解するように、本発明は、ここに解説した発明物品の形成方法および利用方法も含んでいる。
【００２０】
（項目１）
回転可能なコアであって、
外部を有する収容部と、
前記外部内に形成されたインデント領域と、
を含んでおり、
前記インデント領域は、放出のためにユーザの手指を配置する場所に導くように形成されており、前記インデント領域を押し込むことによって、当該コアがプレイ面に押し付けられ、当該コアをスピンさせてユーザから離れさせることを特徴とする回転可能なコア。
（項目２）
前記インデント領域は、前記収容部の外部に中心を外れて形成されていることを特徴とする項目１記載の回転可能なコア。
（項目３）
前記インデント領域は、凹部で形成されていることを特徴とする項目２記載の回転可能なコア。
（項目４）
前記収容部は、物体を受領するための空洞部を含んでいることを特徴とする項目３記載の回転可能なコア。
（項目５）
前記物体上の対応するコネクタと接続するためのコネクタを含んだ、前記収容部に取り付けられた解除機構と、
前記物体を放出するための放出機構と、
をさらに含んでおり、
前記解除機構を作動させることによって、前記コネクタは前記物体を放出させ、前記放出機構は、前記物体を前記収容部から放出させることを特徴とする項目４記載のコア。
（項目６）
前記解除機構の前記コネクタは、解除引金部であり、前記放出機構は、バネ圧縮式プラットフォームであり、前記物体上のコネクタは、留め金であることを特徴とする項目５記載の回転可能なコア。
（項目７）
前記解除機構は、前記解除引金部と作動式に接続された荷重振子をさらに含んでおり、前記振子の動きによって、前記解除引金部が前記留め金を解除して、前記物体を放出させることを特徴とする項目６記載の回転可能なコア。
（項目８）
当該コアの周囲に沿った二つの隆起リングをさらに含んでいることを特徴とする項目７記載の回転可能なコア。
（項目９）
前記収容部の前記空洞部内に配置される留め金を備えた展開可能な物体をさらに含んでいることを特徴とする項目８記載の回転可能なコア。
（項目１０）
前記解除機構の前記コネクタは、一対のクリップであって、前記解除機構は、前記一対のクリップと作動式に接続されている衝撃引金をさらに含んでおり、前記衝撃引金は、衝撃を受けると、前記一対のクリップに前記物体を放出させることを特徴とする項目５記載の回転可能なコア。
（項目１１）
前記収容部の前記空洞部内に配置させる留め金を備えた展開可能な物体をさらに含んでいることを特徴とする項目１０記載の回転可能なコア。
（項目１２）
前記空洞部内に配置された物体と磁気的に接続するための磁石を備えた振り子を含んだ、前記収容部に取り付けられた解除機構をさらに含んでおり、前記コアとプレイ面との衝撃によって、前記振子が前記物体との磁気接続を破壊するように前記物体から振れて離れ、前記収容部から前記物体を放出させることを特徴とする項目３記載の回転可能なコア。
（項目１３）
前記収容部の前記空洞部内に配置される展開可能な物体をさらに含んでおり、前記展開可能な物体は、前記磁石で前記振子に磁気的に引き付けられていることを特徴とする項目１２記載の回転可能なコア。
（項目１４）
回転可能なコアであって、
物体を受領するための空洞部を有する収容部と、
前記収容部に取り付けられ、物体を接続するためのコネクタを含んだ解除機構と、
を含んでおり、
前記解除機構を作動させることで、前記コネクタは、前記収容部から前記物体を放出させることを特徴とする回転可能なコア。
（項目１５）
前記物体を放出させるため、前記収容部に取り付けられた放出機構をさらに含んでいることを特徴とする項目１４記載の回転可能なコア。
（項目１６）
前記解除機構の前記コネクタは、解除引金部であり、前記放出機構は、バネ圧縮式プラットフォームであることを特徴とする項目１５記載の回転可能なコア。
（項目１７）
前記解除機構は、該解除引金部に作動式に接続された荷重振子をさらに含んでおり、前記振子が動くことで、前記解除引金部は、前記物体を放出させることを特徴とする項目１６記載の回転可能なコア。
（項目１８）
当該コアの周囲に設けられた二つの隆起リングをさらに含んでいることを特徴とする項目１７記載の回転可能なコア。
（項目１９）
前記収容部の前記空洞部内に配置させる留め金を備えた展開可能な物体をさらに含んでいることを特徴とする項目１８記載の回転可能なコア。
（項目２０）
前記解除機構の前記コネクタは、一対のクリップであり、前記解除機構は、前記一対のクリップに作動式に取り付けられた衝撃引金をさらに含んでおり、衝撃を受けると、前記衝撃引金が前記一対のクリップに前記物体を放出させることを特徴とする項目１４記載の回転可能なコア。
（項目２１）
前記収容部の前記空洞部内に配置させる留め金を備えた展開可能な物体をさらに含んでいることを特徴とする回転可能なコア。
（項目２２）
前記解除機構は、振子を含んでおり、前記コネクタは、物体を前記空洞部内に磁気的に接続するために前記振子に取り付けられた磁石であり、当該コアとプレイ面との衝突によって、前記物体との磁気的接続を破壊し、前記収容部から前記物体を放出させるよう、前記振子は、前記物体から振れて離れることを特徴とする項目１４記載の回転可能なコア。
（項目２３）
前記収容部の前記空洞部内に配置される展開可能な物体をさらに含んでおり、前記展開可能な物体は、前記振子に前記磁石で磁気的に引き付けられていることを特徴とする項目２２記載の回転可能なコア。
（項目２４）
前記収容部の前記空洞部内に配置され、前記解除機構に取り付けられる展開可能な物体をさらに含んでおり、前記展開可能な物体は、前記解除機構と接続するためのコネクタを有しており、前記解除機構の作動によって、前記物体が当該コアから放出されることを特徴とする項目１４記載の回転可能なコア。
（項目２５）
前記展開可能な物体は、折り畳み状態と、展開状態とになることができる少なくとも一つの付属物を含んでおり、前記展開可能な物体が前記空洞部内に存在するとき、前記少なくとも一つの付属物は、前記折り畳み状態で配置され、前記空洞部から放出されると、前記少なくとも一つの付属物は、前記展開状態に変身することを特徴とする項目２４記載の回転可能なコア。
本発明の目的、特徴および利点は、以下の図面と関連させた続く本発明の多様な態様の詳細な説明から明確になるであろう。
【図面の簡単な説明】
【００２１】
【図１】１は、本発明によるコアを示している。
【図２】２は、プレイ面に配置されて回転されている本発明によるコアを示している。
【図３】３は、本発明によるコアを示している。
【図４Ａ】４Ａは、本発明によるコアの断面図である。
【図４Ｂ】４Ｂは、本発明によるコアの断面図である。
【図５Ａ】５Ａは、本発明によるコアの断面図である。
【図５Ｂ】５Ｂは、本発明によるコアの断面図である。
【図５Ｃ】５Ｃは、本発明によるコアの断面図である。
【図５Ｄ】５Ｄは、本発明によるコアの断面図である。
【図６】６は、本発明によるコアを示している。
【図７Ａ】７Ａは、本発明によるコアの断面図である。
【図７Ｂ】７Ｂは、図７Ａに示す解除機構の前面側の内部を示す図である。
【図７Ｃ】７Ｃは、図７Ａに示す解除機構の背面側の内部を示す図である。
【図８Ａ】８Ａは、本発明によるコア内に隠蔵され、放出される折畳み状態の変身物体を示している。
【図８Ｂ】８Ｂは、展開している状態にある、図８Ａの変身物体を示している。
【図８Ｃ】８Ｃは、展開状態に展開した状態である、図８Ａに示す変身物体を示している。
【図９Ａ】９Ａは、本発明によるコアから放出される隠蔵可能な折畳み状態の変身物体を示している。
【図９Ｂ】９Ｂは、図９Ａに示す変身物体が展開している状態を示している。
【図９Ｃ】９Ｃは、図９Ａに示す変身物体が展開状態に展開した状態を示している。
【図１０Ａ】１０Ａは、本発明による、隠蔵可能でコアから放出される折畳み状態の変身物体を示している。
【図１０Ｂ】１０Ｂは、展開している状態にある図１０Ａの変身物体を示している。
【図１０Ｃ】１０Ｃは、展開状態に展開した図１０Ａに示す変身物体を示している。
【発明を実施するための形態】
【００２２】
本発明は、回転物品に関し、特に、ユーザの手指を長形コアの放出用位置に案内するための手指インデントを備え長形芯体（コア）であり、コアは、その中に隠蔵された物体を衝撃によって放出させる衝撃解除引金部を有している。次の説明は、当業者が本発明を実施し、特定の利用形態の様態にそれを組み込むことができるように提示されている。多様な変形や異なる利用形態における多様な使用方法は、当業者には直ちに明確になるであろうし、ここで定義されている一般的な原理は、多様な範囲の実施態様に利用できる。
【００２３】
よって、本発明は、提示された実施態様に限定されず、ここで開示した原理と新規な特徴に則した最も広い範囲で解釈されるべきである。
【００２４】
続く詳細な説明では、多数の特定の詳細は、本発明をさらによく理解させる目的で提供されている。しかしながら、当業者にとって、本発明を必ずしもそのような詳細に限定せずに実施できることは明らかであろう。また、公知の構造や装置は、本発明を不明瞭にしないために、詳細に説明するよりもブロック図で示されている。
【００２５】
読者は、この明細書と同時に提出され、公開されている全書面および文書に関心を持つべきであり、それら全ての内容はここに記載されているものとする。本明細書（請求の範囲、要約および図面を含む）で開示されている全ての形態は、明確に否定されていない限り、同じであるか、均等または類似した目的に供する別の形態によって置換が可能である。よって、明確に否定されていない限り、開示されているそれぞれの形態は、一連の均等な形態または類似する形態のほんの一例である。
【００２６】
さらに、特定の機能を実施するための“手段”、または特定の機能を実施するための“ステップ”と明確に説明されていない請求項の任意の要素は、米国特許法１１２条第６項に述べられているように“手段”または“ステップ”を表す文章として解釈されるべきではない。特に、請求項での“〜のステップ”または“〜の作用”の使用は、米国特許法１１２条第６項の適用を意図していない。
【００２７】
使用されている場合、左、右、前、後、上、下、前方、後方、時計回り、および反時計回りの言い回しは、特定の方向性を示すことを意図しておらず、便宜のためにのみ使用されている。これらは、物体の多様な部分間の相対的位置および/または方向性を反映させるために使用されている。
【００２８】
（１）説明
本発明は、回転する発射玩具殻体（またはコア）に関する。一形態では、コアは、固形であり、中空で（空洞部を含み）、その中に別の物体を配置または収容する殻体（シェル）のように作用する。コアは、解除機構を含んでおり、作動すると、その中に隠蔵されている物体を放出させる。このように、それらが共に本発明の基本的な回転玩具に関する限り“コア”や“シェル”の用語は、互換的に使用できる。
【００２９】
図１は、コア１００の１実施例を示している。図１に示すように、一形態では、コア１００は、実質的に丸い端部がない略筒形状である。この形状では、水平方向１０３である際には、本発明の玩具を垂直軸１０１周囲で回転させるが、従来式コマは、垂直軸１０１周囲で垂直方向に回転する。
【００３０】
コア１００は、略筒形状であるように解説しているが、ここで解説するように回転動作させる任意の他の形状で形成できるため、本発明をそれに限定することを意図するものではない。
【００３１】
それぞれのコアは、指先を置くために特別に設計された凹状のインデント領域１０２を有する。このインデント領域１０２は、凹状か、インデントを創出するために複数の平面に角度をつけることで形成されている。インデント領域１０２は、放出のためにユーザの手指を配置する位置に案内するためのものである。図１は、一つのインデント領域１０２を示しているが、コア１００は、その反対側などに複数のインデント領域１０２を含むことができる。
【００３２】
インデント領域１０２は、コア１００の外部１１３に形成されており、望ましくは垂直軸１０１周囲の回転に関してコア１１０を補助するために中心を外れて形成されている。
【００３３】
インデント領域１０２に加えて、コア１００は、隆起リング１０４を含むように形成できる。隆起リング１０４は、コア１００の両端の周囲で延びる隆起物（リング形状等）として形成されている。
【００３４】
図２に示すように、インデント領域１０２を押し込むことで、コア１００がプレイ面１０５に押し付けられ、コア１００をユーザからスピン１０７させて離れさせる。このように、コア１００は、手指１１１を水平コア１００の上部に置き、急激動作で押し下げることによって放出される。中心を外れて手指１１１を置けば置くほど、より強力なスピン１０７が達成できる。このように、インデント領域１０２は、ユーザ１０９にさらに強力なスピンを達成させるよう、コア１００の適切な場所に形成される。例えば、インデント領域１０２をコアの両端、コア１００の両側、または片側（例：開口部を備えたコアの側部；その開口部は、その中に物体が配置され、コアから放出される場所）に形成できる。        
【００３５】
前述のように、コア１００は、接触面積を減少させるため、その端部でコア１００の周囲を包む隆起リング１０４を含むことによって回転時間を引き延ばす。このように、ユーザ１０９が指先１１１をインデント領域１０２に置き、コア１００をプレイ面１０５に押し付けると、コア１００は、ユーザ１０９から回転１０７の方向へ押し出される。隆起リングが存在するので、コア１００は、長時間回転することができる。
【００３６】
プレイ面１０５上にコア１００を置く代わりに、コア１００は、親指と中指との間に置いてスナップモーション（またはピンチングモーション）で回転させることによっても放出できる。さらに別な態様では、ユーザから回転して離れる、コア１００をピンチングさせるために機械式ピンチング放射具（例：複式放射用）を使用することもできる。
【００３７】
別な形態では、コア１００は、コア１００が回転しているときだけ現れる照明画像を含むことができる。これは、コア１００の長手方向に沿って形成される形状または画像を現す照明具（例：ＬＥＤ）を起動させるモーションスイッチまたは遠心力スイッチによって達成できる。
【００３８】
前述のように、コア１００は、物体を隠蔽およびそこに隠蔵されている物体を放出させるために使用できる。このように、コア１００は、回転可能な物体（すなわちスピン玩具）であることに加えて発射玩具シェルとしても作用する。この形態で、図３に示すように、コア１００は、空洞部４００をそこに含んでおり、物体を収容する収容部として作用する。コア１００は、作動したときにその中に隠蔵されている物体を放出する解除機構も含んでいる。
【００３９】
前述のように、コア１００を様々な形状に形成でき、非制限的な一実施例では、空洞部４００へのアクセスを提供する開口部３００を一端に備えた筒状収容部が含まれる。コア１００は、２つの一般的な目的のために提供される：（１）プレイ面で回転する（前述）および（２）変身物体（例：後に詳説するように変身怪獣フィギュア）を収容および放出する。物体を放出させるため、コア１００は、作動すると物体をコア１００から放出させる解除機構を含んでいる。
【００４０】
物体は、物体と接続して放出させることができる任意の適切な解除機構を用いて放出される。解除機構は、蓄えられたエネルギーを維持するようにデザインされており、その蓄えられたエネルギーを、作動したときに物体を放出させるために解除する。このように、最も基本的な形態では、解除機構は、物体上の対応するコネクタと接続するためのコネクタを含んでいる。
【００４１】
三つの異なる解除機構について説明したが、本発明は、これらに限定されず、任意の適した解除機構を用いて考案できる。例えば、図４Ａから図５Ｄは、振子作動式引金解除システムを示している。図４Ａと、図４Ｂの断面図に示すように、コア１００は、そこに物体を収容するための空洞部４００を含んでいる。この設計は、物体を放出させる解除引金部４０２を含んでいる。この形態は、重りを備えた振子４０４を含んでいる。振子４０４は、コア１００内でスイングすることができ、解除引金部４０２をロック位置に保持するために使用されることで、物体を空洞部４００内に保持する。振子４０４は、３６０°または任意の適した動作範囲で旋回する能力等の多方向性移動形態を有している。重り４０６は、振子４０４の端部に重量を加える任意の機構であり、それの非限定的な例は、振子４０４周囲に取り付けられている金属片（例：リング）か、またはダイガスト亜鉛合金等で振子４０４を包むものを含む。
【００４２】
マスターロック４０８も図示されている。マスターロック４０８は、ユーザにコア１００の空洞部４００内に物体を固定させる任意の適切なロック機構または装置である。非限定的な一例として、マスターロック４０８は、解除引金部４０２が、取り付けられた物体から外れるのを防止するスライドスイッチである。
【００４３】
図４Ｂに示すように、振子４０４が解除引金部４０２を解除したとき、物体がコア１００から放出される。コア１００が回転している場合、物体は、遠心力によってコアから放出される。放出を補助するため、放出機構を含むことができる。放出機構は、物体を放出させるための任意の適した機構または装置であり、その非限定的な例は、バネ圧縮式プラットフォーム４１０を含む。バネ圧縮式プラットフォーム４１０は、物体が空洞部４００内に取り付けられているとき、物体によって圧縮され、解除されると空洞部４００から物体を押し出すために使用される。このように、バネ圧縮式プラットフォーム４１０は、圧縮でき、解除されるとプラットフォームを外側に押し出す、バネが取り付けられたプラットフォーム（例：プラスチックプラットフォーム）である。
【００４４】
さらに理解を深めるため、図５Ａと図５Ｂは、コア１００内に隠蔵された物体５００を図示している。物体５００は、コア１００から放出されると、創造物またはその他の形態へと変身する、単純な発射物、または展開可能な物体でよい。
【００４５】
図５Ａに示すように、解除引金部４０２は、物体５００上の留め金５０２に掛け留めされており、空洞部４００内に物体５００を保持している。振子４０４は、任意の適切な技術を用いて解除引金部４０２に接続されており、その非限定的な実施例は、Ｖ状さねはぎを含む。解除引金部４０２が留め金５０２から旋回して離れるのを防止するために配置されているロック機構４０８も図示されている。
【００４６】
あるいは、図５Ｂは、解除引金部４０２を留め金５０２から旋回して離れさせるであろう非ロック位置にあるロック機構４０８を示している。作動時、ユーザは、コア１００をプレイ面で、理想的には別の物体へ向かって回転させる。別の物体との衝撃で、衝撃が振子４０４をスイングさせ、解除引金部４０２を留め金５０２から解放する。留め金５０２から解除引金４０２が外れると、バネ圧縮式プラットフォーム４１０が外側に移動し（遠心力とバネの延出力による）、物体５００をコア１００の空洞部４００から放出させる。
図５Ｃに示す別の形態では、コア１００は、ユーザに手動でコア１００から物体５００を押す、または解放させる手動式解除スイッチ５０４を含むように形成できる。例えば、手動式解除スイッチ５０４は、押し込まれ、解除引金部４０２から物体５００を解放するように上昇する。手動式解除スイッチ５０４が使用されるとき、解除バネ（バネ圧縮式プラットフォーム４１０等）は、作動せず、物体５００は、コア１００から発射されない。その代わりに物体５００は、ユーザが物体を掴んでコア１００から引出すことができるように解除引金部４０２から解放される。
【００４７】
図５Ｄに示すように、手動式解除スイッチは、２つの部材、すなわちスライドスイッチ５０８とプラットフォームキャッチ５１０とを含むことができる。押し込まれたとき、プラットフォーム５１０は、バネ圧縮式プラットフォーム４１０に取り付けられた対応するキャッチ５１２に掛け留めされ、バネ圧縮式プラットフォーム４１０が解放されるのを防止する。さらに、スライドスイッチ５０８は、解除引金部４０２を傾斜させ、解除引金部４０２を物体５００の留め金５０２から解放させるように形成されている。
【００４８】
前述のように、コアは、マスターロック機構および解除スイッチ等の多様なスイッチを含むことができる。一般的に、ロック機構は、物体をシェル内にロックし、解除スイッチは、放出機構を作動させずに物体をコアから外させる。アクセスのためには、スイッチはコアの外面から突出するように形成できる。
【００４９】
しかしながら、図５Ｃで示すように、コア１００を、隆起リングがスイッチ（ロック機構４０８および/または解除スイッチ５０４等）を越えて突出するよう、コア１００から延び出る隆起リング１０４を含むように形成できる。このように、コア１００がプレイ面上で回転している間、隆起リング１０４は、スイッチがプレイ面に接触して回転を妨害しないようにプレイ面に接触している。
【００５０】
解除機構の別な実施例を図６に示す。この図６に示す例は、磁石６０２を有する振子６００を含んでいる。この例のコア６０４は、空洞部６０６を振子６００から分離させる分離壁６０８を備えた空洞部６０６を含んでいる。留め金を使用する前述の例とは異なり、この場合の物体は、金属部材を有するか、さもなければ金属製である。物体がコア６０４の空洞部６０６に挿入されると、物体は、その中でコアの磁気振子６００（すなわち振子６００の先端の磁石６０２）によってロックされる。コア６０４が回転して別な部材に衝撃を与えたりして、ショックを受けると、振子６００がスイングして振子６００と物体との間の磁気接続を解除する。これで遠心力によって物体を空洞部６０６から放出させる。
【００５１】
さらに別な解除機構の実施例を図７に示す。この形態では、コア７００は、ジョイスティックインパクトトリガー７０２と物体５００に掛け留めされる一対のクリップ７０４とを含んでいる。この形態は、バネ搭載放出プレートとして作用するバネ圧縮式プラットフォーム７０６も含んでいる。ジョイスティックインパクトトリガー７０２は、多方向への移動性を有し、十分な衝撃を受けると一対のクリップ７０４を開いて留め金５０２を解放させる。さらに詳細には、ジョイスティックインパクトトリガー７０２は、十分な力で衝撃を受けると一対のクリップ７０４を開くレバーのように作用する。一対のクリップ７０２が開くと、バネ圧縮式プラットフォーム７０６がコア７００から物体を放出させる。
【００５２】
この形態は、ロック機構７０８、物体解除ボタン７１０および遠心力ロック７１２をさらに含んでいる。ロック機構７０８は、一対のクリップ７０４が留め金５０２を解除させるのを防止するように形成および使用されるスライドスイッチまたは任意のその他の適切な装置である。このように、この形態では、ロック機構７０８は、スライドし、一対のクリップ７０２が開くのを防止するようロックできる。
【００５３】
物体解除ボタン７１０は、押し込まれたときに一対のクリップ７０４が開いて留め金５０２を解除させるように形成されている。最後に、遠心力ロック７１２は、ジョイスティックインパクトトリガー７０２を外すために、回転中に遠心力によって中央位置から側部に移動される金属製ボールである。ボールが元の位置にあるとき、ジョイスティックインパクトトリガー７０２がロックされる。しかしながら、コア７００が回転し、ボールが元の位置に存在しないとき、ジョイスティックインパクトトリガー７０２は、ロック解除され作動可能になる。
【００５４】
さらに理解を深めるため、図７Ｂは、図７Ａの解除機構の前面側の内面を図示しており、図７Ｃは、図７Ａに示す解除機構の背面側の内面を図示している。図７Ｂに示すように、遠心力ロック７１２は、コアがジョイスティックインパクトトリガー７０２をロック解除させるようコアが回転している間、遠心力によって中央位置から側部に移動される金属製ボールである。衝撃を受けると、ジョイスティックインパクトトリガー７０２が回転して一対のクリップ７０４を開いて物体の留め金を解除する。物体をコア内に維持するために使用されるロック機構７０８も示されている。ロック機構７０８は、ジョイスティックインパクトトリガー７０２と物体解除ボタンの両方に勝るように形成されている。あるいは、物体解除ボタンが使用される場合には、バネ圧縮式プラットフォームを保持しながら一対のクリップ７０４をくさび式に開く。物体解除ボタンは、バネ圧縮式プラットフォームの作動を防止するため、バネ圧縮式プラットフォームの対応する凹部または突出部と係合する突出部７１２または類似機構を含んでいる。
【００５５】
図７Ｃに示す背面図側の内側の図には、物体解除ボタン７１０が図示されている。この物体解除ボタン７１０は、それを押すと、翼部７１２（または任意の他の適した機構または装置）が一対のクリップ７０４と係合して一対のクリップ７０４を開くように形成されている。
【００５６】
ここで解説するように、本発明の新規な形態は、コアの空洞部内に隠蔵された物体を放出させる能力である。前述のように、物体は、コアから放出されることができる任意の適した物品でよい。非限定的な例として、物体は、その形態を変化させない単純な発射物（車、ロケット等）または、放出されると生物またはその他の部材に変身する展開型物体でよい。さらに理解を深めるため、図８Ａから図１０は、閉じられた状態、展開中の状態および開いた状態の三つの展開型物体を示している。
【００５７】
例えば、図８Ａは、本発明によるコア内に隠蔵できる展開型物体５００の一例を示している。図示のように、展開型物体５００は、閉じられた、または折畳まれた状態の生物である。折畳まれた状態は、物体をコアの空洞部内に容易に配置させる。留め金５０２も示されている。前述のように、留め金５０２は、解除引金部（図４Ａから図５Ｄにて符号４０２で示す）、または一対のクリップ（図７にて符号７０２で示す）、あるいはコア内に収納できる任意のその他の適した接続具または解除装置を接続するために使用される。このように、留め金５０２の使用によって、物体はコア内に保持される。
【００５８】
図８Ｂは、展開している物体を示す。留め金５０２も示されている。最後に、図８Ｃは、この例では角を有した生物である物体５００が完全に展開した形態を示している。物体５００がコア内にどのように維持されるかを明確に示す留め金５０２が図示されている。
【００５９】
図８Ａから図８Ｃに示すように、物体５００は、初めは物体５００に対して折畳まれており、最終的な物体を形成するための展開形態へと外側に展開する多様な付属物を含んでいる。それぞれの付属物８００は、旋回式に取り付けられており、外側にスイングすることができる。例えば、図８Ｃに示すような角を有した生物の場合、その生物は、脚部、頭部、角および翼部を有しており、それら全ては、生物の別な部分（胴体等）に旋回式に取り付けられている。付属物８００は、コアから解放されると、付属物８００が展開形態へと外側へ延びるバネ荷重式でよい。あるいは、付属物８００は、それらの展開形態に手動で回転されるよう、単純に旋回式に取り付けられていてもよい。いずれの場合も、当業者であれば理解できるように、付属物８００は、物体５００をコア内に隠蔵させ、コアから解放されると展開形態（図８Ｃに示すように）に展開させるよう、折畳み形態（図８Ａに示すように）に折畳まれている。
【００６０】
図９Ａから図１０Ｃは、折畳み状態から展開状態へと変化する二つの追加的物体５００を示している。当業者であれば理解できるように、本発明を、フィギュア、怪獣またはキャラクタ等、コアから解放されると新規な形態となるよう展開する任意の変身物体に利用することができる。
【図１】
0005860875.tif 000002
【図２】
0005860875.tif 000003
【図３】
0005860875.tif 000004
【図４Ａ】
0005860875.tif 000005
【図４Ｂ】
0005860875.tif 000006
【図５Ａ】
0005860875.tif 000007
【図５Ｂ】
0005860875.tif 000008
【図５Ｃ】
0005860875.tif 000009
【図５Ｄ】
0005860875.tif 000010
【図６】
0005860875.tif 000011
【図７Ａ】
0005860875.tif 000012
【図７Ｂ】
0005860875.tif 000013
【図７Ｃ】
0005860875.tif 000014
【図８Ａ】
0005860875.tif 000015
【図８Ｂ】
0005860875.tif 000016
【図８Ｃ】
0005860875.tif 000017
【図９Ａ】
0005860875.tif 000018
【図９Ｂ】
0005860875.tif 000019
【図９Ｃ】
0005860875.tif 000020
【図１０Ａ】
0005860875.tif 000021
【図１０Ｂ】
0005860875.tif 000022
【図１０Ｃ】
0005860875.tif 000023